(57)【要約】【課題】複数の電源装置を組み合わせて取り扱うシステムの電力の変換効率を向上する電力制御装置および電力制御方法を提供する。【解決手段】複数の直流電力供給部１３０，１４０から供給される電力を制御する電力制御装置１は、複数の直流電力供給部１３０，１４０にそれぞれ接続される複数のＤＣ／ＤＣコンバータ３０，４０と、複数のＤＣ／ＤＣコンバータ３０，４０に接続されるインバータ２０と、複数の直流電力供給部１３０，１４０のうち１つの直流電力供給部から供給される電力が、１つの直流電力供給部に接続されたＤＣ／ＤＣコンバータおよびインバータの消費電力を超えない時は、ＤＣ／ＤＣコンバータの動作を停止するように制御する制御部１０と、を備える。【選択図】図１
2015208089.tif 000002
【特許請求の範囲】
【請求項１】
複数の直流電力供給部から供給される電力を制御する電力制御装置であって、
前記複数の直流電力供給部にそれぞれ接続される複数のＤＣ／ＤＣコンバータと、
前記複数のＤＣ／ＤＣコンバータに接続されるインバータと、
前記複数の直流電力供給部のうち１つの直流電力供給部から供給される電力が、当該１つの直流電力供給部に接続されたＤＣ／ＤＣコンバータおよび前記インバータの消費電力に満たないと判断する場合は、当該ＤＣ／ＤＣコンバータを動作させないように制御する制御部と、
を備える電力制御装置。
【請求項２】
前記制御部は、前記複数の直流電力供給部に接続された複数のＤＣ／ＤＣコンバータの動作が全て停止している時、前記インバータの動作を停止するように制御する、請求項１に記載の電力制御装置。
【請求項３】
前記インバータと電力系統とを接続または開放する連系リレーを備え、
前記制御部は、前記インバータの動作時には前記連系リレーを接続し、前記インバータの動作停止時には前記連系リレーを開放するように制御する、請求項１または２に記載の電力制御装置。
【請求項４】
前記電力制御装置の動作を指示可能なエネルギー管理装置に有線または無線により接続されており、
前記制御部は、前記ＤＣ／ＤＣコンバータの動作を停止するように制御する時は、当該電力制御装置の動作を停止する旨を前記エネルギー管理装置に通知するように制御する、請求項１から３のいずれか一項に記載の電力制御装置。
【請求項５】
前記制御部は、前記エネルギー管理装置から前記電力制御装置の動作を開始するように指示された状態で前記ＤＣ／ＤＣコンバータの動作を停止するように制御する場合に、当該電力制御装置の動作を開始しない旨を前記エネルギー管理装置に通知するように制御する、請求項４に記載の電力制御装置。
【請求項６】
前記複数の直流電力供給部の少なくとも１つは太陽光発電部であり、当該複数の直流電力供給部の少なくとも１つは蓄電池である、請求項１から５のいずれか一項に記載の電力制御装置。
【請求項７】
前記制御部は、前記蓄電池が充電される状態にあるものの、その充電電力が０Ｗである場合は、当該蓄電池に接続されたＤＣ／ＤＣコンバータの動作を停止するように制御する、請求項６に記載の電力制御装置。
【請求項８】
複数の直流電力供給部にそれぞれ接続される複数のＤＣ／ＤＣコンバータと、
前記複数のＤＣ／ＤＣコンバータに接続されるインバータと、を備え、
前記複数の直流電力供給部から供給される電力を制御する電力制御装置の電力制御方法であって、
前記複数の直流電力供給部のうち１つの直流電力供給部から供給される電力が、当該１つの直流電力供給部に接続されたＤＣ／ＤＣコンバータおよび前記インバータの消費電力に満たないと判断する場合は、当該ＤＣ／ＤＣコンバータを動作させないように制御するステップを含む、電力制御方法。
【発明の詳細な説明】
【技術分野】
【０００１】
本発明は、電力制御装置および電力制御方法に関するものである。より詳細には、本発明は、逆潮流可能な電力を出力する太陽光発電などの分散電源、および蓄電池を系統に連系して、負荷に電力を供給可能な電力制御装置に関するものである。また、本発明は、このような電力制御装置による電力制御方法にも関するものである。
【背景技術】
【０００２】
従来、一般家庭で用いられる太陽光発電用のパワーコンディショナは、その太陽光発電による電力を制御電源として用いて動作するものが多かった。このようなパワーコンディショナは、夜間などの日射がない時間帯においては、系統と接続される連系リレーを解列して、一部の制御用電源を除いて停止する状態としていた。このようにすれば、夜間の待機電力を僅少に抑えることができるため、パワーコンディショナの効率を高めることができる（例えば、特許文献１参照）。
【先行技術文献】
【特許文献】
【０００３】
【特許文献１】特開平６−１９７４５５号公報
【発明の概要】
【発明が解決しようとする課題】
【０００４】
近年、太陽電池のような発電装置と蓄電池など、複数の電源装置を組み合わせて取り扱う連系インバータ（パワーコンディショナ）が検討されている。このようなパワーコンディショナは、太陽電池のような発電装置のみ取り扱う場合のように、決まった時間に動作を停止させることはできず、基本的に夜間であっても動作を停止させず、２４時間運転を行うこととなる。
【０００５】
しかしながら、上述のように、パワーコンディショナにおいて停止期間なく継続運転を行うと、定常的な電力消費が発生する。このような定常的な電力消費は、電力の浪費防止の観点およびコストの観点などから、可能な限り抑制することが望ましい。
【０００６】
本発明の目的は、複数の電源装置を組み合わせて取り扱うシステムの電力の変換効率を向上する電力制御装置および電力制御方法を提供することにある。
【課題を解決するための手段】
【０００７】
上記目的を達成する第１の観点に係る発明は、
複数の直流電力供給部から供給される電力を制御する電力制御装置であって、
前記複数の直流電力供給部にそれぞれ接続される複数のＤＣ／ＤＣコンバータと、
前記複数のＤＣ／ＤＣコンバータに接続されるインバータと、
前記複数の直流電力供給部のうち１つの直流電力供給部から供給される電力が、当該１つの直流電力供給部に接続されたＤＣ／ＤＣコンバータおよび前記インバータの消費電力に満たないと判断する場合は、当該ＤＣ／ＤＣコンバータを動作させないように制御する制御部と、
を備えるものである。
【０００８】
また、前記制御部は、前記複数の直流電力供給部に接続された複数のＤＣ／ＤＣコンバータの動作が全て停止している時、前記インバータの動作を停止するように制御してもよい。
【０００９】
また、前記インバータと電力系統とを接続または開放する連系リレーを備え、
前記制御部は、前記インバータの動作時には前記連系リレーを接続し、前記インバータの動作停止時には前記連系リレーを開放するように制御してもよい。
【００１０】
また、前記電力制御装置の動作を指示可能なエネルギー管理装置（例えばＨＥＭＳ）に有線または無線により接続され、
前記制御部は、前記ＤＣ／ＤＣコンバータの動作を停止するように制御する時は、当該電力制御装置の動作を停止する旨を前記エネルギー管理装置に通知するように制御してもよい。
【００１１】
前記制御部は、前記エネルギー管理装置から前記電力制御装置の動作を開始するように指示された状態で前記ＤＣ／ＤＣコンバータの動作を停止するように制御する場合に、当該電力制御装置の動作を開始しない旨を前記エネルギー管理装置に通知するように制御してもよい。
【００１２】
また、前記複数の直流電力供給部の少なくとも１つは太陽光発電部であり、当該複数の直流電力供給部の少なくとも１つは蓄電池であってもよい。
【００１３】
また、前記制御部は、前記蓄電池が充電される状態にあるものの、その充電電力が０Ｗである場合は、当該蓄電池に接続されたＤＣ／ＤＣコンバータの動作を停止するように制御してもよい。
【００１４】
また、上記目的を達成する第２の観点に係る発明は、
複数の直流電力供給部にそれぞれ接続される複数のＤＣ／ＤＣコンバータと、
前記複数のＤＣ／ＤＣコンバータに接続されるインバータと、を備え、
前記複数の直流電力供給部から供給される電力を制御する電力制御装置の電力制御方法であって、
前記複数の直流電力供給部のうち１つの直流電力供給部から供給される電力が、当該１つの直流電力供給部に接続されたＤＣ／ＤＣコンバータおよび前記インバータの消費電力に満たないと判断する場合は、当該ＤＣ／ＤＣコンバータを動作させないように制御するステップを含むものである。
【発明の効果】
【００１５】
本発明によれば、複数の電源装置を組み合わせて取り扱うシステムの電力の変換効率を向上する電力制御装置および電力制御方法を提供することができる。
【図面の簡単な説明】
【００１６】
【図１】本発明の実施形態に係る電力制御装置を概略的に示す機能ブロック図である。
【図２】本発明の実施形態に係る電力制御装置の動作を説明するフローチャートである。
【発明を実施するための形態】
【００１７】
以下、本発明の実施形態について、図面を参照して説明する。
【００１８】
上述したように、複数の電源装置を組み合わせて取り扱うパワーコンディショナのような電力制御装置は、太陽電池などの発電素子のみならず蓄電池の電力制御も行うため、通常は１日２４時間休止することなく運転を行う。このため、電力制御装置に電力の入出力がほとんどない状態でも、連系運転を行うだけで、装置内に電力ロスが発生する。すなわち、パワーコンディショナが系統連系運転を行う場合、系統の電圧に合わせてＤＣ／ＡＣインバータが動作するため、発電および蓄電池放電電力がゼロであっても電力損失が発生することになる。したがって、電力制御装置を含むシステム全体としての変換効率は悪化してしまうという問題がある。
【００１９】
例えば、５ｋＷを定格とするパワーコンディショナにおいて、変換効率を９４％とすると、その電力損失は３００Ｗとなる。この３００Ｗの電力損失には、電流量に応じて増減する損失と、電流量によらず発生する固定損失とに分類することができる。後者の固定損失は、機器によっては１００Ｗ程度になるものもある。５ｋＷの太陽光発電システムにおいては、期待できる平均発電量は、１日当たり概ね１５ｋＷｈ程度である。このシステムにおいて、例えば夜間（仮に１２時間）も連系運転を行うと、その電力損失は、１００Ｗ×１２ｈ＝１．２ｋＷｈすなわち全発電量の１割近くになる。したがって、このようなシステムでは、太陽光発電を行う直流電源などを制御電源として、太陽光発電を行わない夜間はパワーコンディショナを停止させる。
【００２０】
一方、蓄電池を含む複数の電源装置を取り扱うパワーコンディショナにおいては、蓄電池の充放電の必要に応じて動作する必要性から、１日２４時間の連続運転を行うため、交流電源または蓄電池などを制御電源としている。そのため、このようなシステムでは、制御動作の有無にかかわらず、また発電および充放電の程度にかかわらず、１日に２．４ｋＷｈ（１００Ｗ×２４ｈ＝２．４ｋＷｈ）程度の電力損失が発生することになる。
【００２１】
したがって、本実施形態においては、このような固定損失を抑制するため、必要のない場合には、ＤＣ／ＤＣコンバータの動作を停止（例えばゲートブロック）させたり、機器を停止（インバータの動作停止および連系リレーのオフ）させたりする。本実施形態では、このように変換効率の悪化を極力抑制して、システム全体としての変更効率を向上させる。
【００２２】
図１は、本発明の一実施形態に係る電力制御装置を概略的に示す機能ブロック図である。
【００２３】
図１に示すように、本発明の実施形態に係る電力制御装置１は、太陽電池１３０および蓄電池１４０に接続され、これらから直流電力を供給される。また、電力制御装置１は、負荷２００に接続され、必要に応じて系統３００と連系運転を行うことにより、負荷２００に交流電力を供給することができる。さらに、電力制御装置１は、エネルギー管理装置４００（例えばHome Energy Management System（ＨＥＭＳ）など）にも接続される。
【００２４】
本発明の実施形態に係る電力制御装置１は、図１に示すように、制御部１０、インバータ２０、ＤＣ／ＤＣコンバータ３０，４０、および連系リレー５０を備えている。電力制御装置１は、さらに、中間リンクコンデンサ、電圧センサ、および電流センサなども備えているが、これらの要素については詳細な説明を省略する。また、以下の説明において、従来よく知られている要素および機能部については、適宜、説明を簡略化または省略する。
【００２５】
制御部１０は、電力制御装置１の各機能部をはじめとして電力制御装置１の全体を制御および管理する。制御部１０は、例えばマイコンまたはプロセッサなどで構成することができる。特に、本実施形態において、制御部１０は、インバータ２０、ＤＣ／ＤＣコンバータ３０、ＤＣ／ＤＣコンバータ４０、および連系リレー５０を制御および管理する。このため、制御部１０は、これらの各機能部に制御ラインにより接続されている。なお、図１においては、制御ラインおよび情報伝達ラインは破線により示し、電力ラインは実線により示してある。
【００２６】
本実施形態において、制御部１０は、ＤＣ／ＤＣコンバータ３０を制御することにより、太陽電池１３０が発電する電力を制御する。また、本実施形態において、制御部１０は、ＤＣ／ＤＣコンバータ４０を制御することにより、蓄電池１４０が放電する電力および蓄電池１４０に充電される電力を制御する。さらに、本実施形態において、制御部１０は、インバータ２０を制御することにより、電力制御装置１が出力する電力を制御する。制御部１０によるこれらの制御については、後述する。
【００２７】
インバータ２０は、太陽電池１３０および蓄電池１４０の少なくとも一方が出力する直流電力を、交流電力に変換して出力する。このため、インバータ２０は、ＤＣ／ＤＣコンバータ３０とＤＣ／ＤＣコンバータ４０とを並列接続した出力端に、さらに接続されている。また、インバータ２０が直流電力を交流電力に変換した出力端は、宅内などの負荷２００および系統３００に接続される。負荷２００は、図１においては、１つのみ例示してあるが、家庭の宅内などで電力を必要とする、任意の個数の各種の負荷とすることができる。図１に示すように、インバータ２０は、系統３００に接続されることにより、太陽電池１３０および蓄電池１４０を系統３００に連系して、負荷２００に電力を供給可能に構成される。
【００２８】
ＤＣ／ＤＣコンバータ３０は、太陽電池１３０が発電する直流電力の電圧を昇降圧することにより制御する。このため、ＤＣ／ＤＣコンバータ３０は、太陽電池１３０が発電する電力の出力端に接続される。また、太陽電池１３０からＤＣ／ＤＣコンバータ３０に出力される電力は、例えばＤＣ／ＤＣコンバータ３０内部の検出装置によって電圧および電流が検出される。このようにして検出された電圧および電流は、直接的または間接的に、制御部１０に通知されるようにする。
【００２９】
太陽電池１３０は、太陽光を利用して発電することができ、太陽光のエネルギーを直接的に電力に変換する。本実施形態において、太陽電池１３０は、例えば家の屋根などにソーラパネルを設置して、太陽光を利用して発電するような態様を想定している。しかしながら、本発明において、太陽電池１３０は、太陽光のエネルギーを電力に変換できるものであれば、任意のものを採用することができる。図１においては、太陽電池１３０を１つのみ例示してあるが、任意の個数の各種の太陽電池を接続することができる。
【００３０】
ＤＣ／ＤＣコンバータ４０は、蓄電池１４０が入出力する直流電力の電圧を昇降圧することにより制御する。このため、ＤＣ／ＤＣコンバータ４０は、蓄電池１４０が充放電する電力の出力端に接続される。蓄電池１４０からＤＣ／ＤＣコンバータ４０に出力される電力、およびＤＣ／ＤＣコンバータ４０から蓄電池１４０に入力される電力は、例えばＤＣ／ＤＣコンバータ４０内部の検出装置によって電圧および電流が検出される。このようにして検出された電圧および電流は、直接的または間接的に、制御部１０に通知される。
【００３１】
蓄電池１４０は、充電された電力を放電することにより、電力を供給することができる。また、蓄電池１４０は、系統３００または太陽電池１３０等から供給される電力を充電することもできる。この蓄電池１４０は、入力される電力を充電し、出力する電力を放電することが可能な例えばリチウムイオン電池のような任意の蓄電池とすることができる。図１においては、蓄電池１４０を１つのみ例示してあるが、任意の個数の各種の蓄電池を接続することができる。
【００３２】
蓄電池１４０に電力を充電する際、インバータ２０は、コンバータとして動作する。すなわち、この場合、インバータ２０は、交流の電力を直流の電力に変換し、変換された電力を蓄電池１４０に充電する。
【００３３】
連系リレー５０は、電力系統３００と電力制御装置１との接続および解列を切り替えるためのスイッチである。すなわち、連系リレー５０は、インバータ２０と電力系統３００とを接続または開放する。図１に示すように、連系リレー５０は、系統３００と、インバータ２０との間に接続される。また、連系リレー５０は、制御部１０の制御によってオン／オフを切り替えることができる。
【００３４】
また、図１に示すように、電力制御装置１の制御部１０は、エネルギー管理装置４００に接続されている。この接続は有線または無線の任意の方法によるものとすることができる。すなわち、電力制御装置１は、有線または無線によりエネルギー管理装置４００に接続される。また、この接続は、例えばエコーネットライト（ECHONET Lite）などの各種のプロトコルに準拠したものとすることができる。制御部１０は、このようにエネルギー管理装置４００に接続されることにより、例えば外部のサーバなどと通信を行うことができる。制御部１０は、このようにエネルギー管理装置４００を経て、例えば天気予報などの各種情報を含む気象情報および時刻情報などをはじめとして、各種の情報を取得することができる。
【００３５】
本実施形態においては、ＤＣ／ＤＣコンバータ３０に接続される電源を、太陽電池１３０として説明する。しかしながら、本発明において、ＤＣ／ＤＣコンバータ３０に接続可能な電源は、太陽電池に限定されない。本発明において、ＤＣ／ＤＣコンバータ３０に接続される電源は、例えば再生可能エネルギーに基づく発電を行う発電部のような、各種の電源とすることができる。例えば、ＤＣ／ＤＣコンバータ３０に接続される電源は、風力発電装置などのような発電部、またはＳＯＦＣのような燃料電池などとしてもよい。
【００３６】
以下の説明においては、本実施形態に係る電力制御装置１は、図１に示すように、太陽電池１３０および蓄電池１４０を系統３００に連系して、負荷２００に電力を供給可能に構成される。図１において、電力制御装置１は、太陽電池１３０および蓄電池１４０の２つの直流電源のみに接続されているが、本発明に係る電力制御装置は、このような構成に限定されない。本発明に係る電力制御装置は、各種の直流電源を複数接続することができる。
【００３７】
このように、本実施形態に係る電力制御装置１は、太陽電池１３０および蓄電池１４０のような複数の直流電力供給部から供給される電力を制御する。すなわち、本実施形態に係る電力制御装置１において、複数の直流電力供給部の少なくとも１つは太陽電池１３０とし、当該複数の直流電力供給部の少なくとも１つは蓄電池１４０とすることができる。また、電力制御装置１において、複数のＤＣ／ＤＣコンバータ３０，４０は、太陽電池１３０および蓄電池１４０のような複数の直流電力供給部にそれぞれ接続される。また、インバータ２０は、複数のＤＣ／ＤＣコンバータ３０，４０に接続される。
【００３８】
本実施形態においては、電力制御装置１の動作にあたって、制御部１０が制御を行う基準として用いる閾値を設定する。以下、このような閾値について説明する。
【００３９】
まず、太陽電池１３０の発電に関する閾値について説明する。
【００４０】
太陽電池１３０がある程度の電力を発電していたとしても、その発電電力が電力制御装置１によって内部損失される電力を超えていなければ、電力制御装置１からは太陽電池１３０の発電電力は出力されない。すなわち、太陽電池１３０がある閾値以下の電力で発電しても、電力制御装置１内部にて電力損失として消費されるため、太陽電池１３０の発電する電力を外部に供給することはできない。
【００４１】
そこで、制御部１０は、蓄電池１４０に接続したＤＣ／ＤＣコンバータ４０の充放電電力を０Ｗとした場合に、インバータ２０から出力される電力が０Ｗを超える時点において、太陽電池１３０に接続したＤＣ／ＤＣコンバータ３０へ入力される電力を計測する。そして、制御部１０は、このようにして計測された電力値を、閾値Ｐ０として記憶する。閾値を記憶する際には、例えば制御部１０に内蔵される記憶部に記憶したり、または別個用意した記録媒体に記憶したり、種々の手段を用いることができる。
【００４２】
次に、蓄電池１４０の放電に関する閾値について説明する。
【００４３】
蓄電池１４０がある程度の電力を放電していたとしても、その放電電力が電力制御装置１によって内部損失される電力を超えていなければ、電力制御装置１からは蓄電池１４０の放電電力は出力されない。すなわち、蓄電池１４０がある閾値以下の電力で放電しても、電力制御装置１内部にて電力損失として消費されるため、蓄電池１４０の放電する電力を外部に供給することはできない。
【００４４】
そこで、制御部１０は、太陽電池１３０に接続したＤＣ／ＤＣコンバータ３０の出力電電力を０Ｗとした場合に、インバータ２０から出力される電力が０Ｗを超える時点において、蓄電池１４０に接続したＤＣ／ＤＣコンバータ４０へ入力される電力を計測する。そして、制御部１０は、このようにして計測された電力値を、閾値Ｗｄとして記憶する。閾値を記憶する際には、上述同様、種々の手段を用いることができる。
【００４５】
次に、本実施形態に係る電力制御装置１の動作について説明する。図２は、本実施形態に係る電力制御装置１の動作を説明するフローチャートである。
【００４６】
図２に示す電力制御装置１の動作が開始すると、制御部１０は、太陽電池１３０の発電可能電力（あるいは出力）が、上述の閾値Ｐ０を超えているか否かを判定する（ステップＳ１１）。すなわち、ステップＳ１１では、太陽電池１３０が、閾値Ｐ０を超える電力を発電可能な状態になっているか否かを判定する。ステップＳ１１において太陽電池１３０の発電可能電力（あるいは出力）が上述の閾値Ｐ０を超えていると判定されたら、制御部１０は、太陽電池１３０に接続したＤＣ／ＤＣコンバータ３０の動作をオンにする（ステップＳ１２）。ステップＳ１２に移行する際は、太陽電池１３０の発電可能電力（あるいは出力）をＰとすると、Ｐ＞Ｐ０となる。
【００４７】
一方、ステップＳ１１において太陽電池１３０の発電可能電力（あるいは出力）が上述の閾値Ｐ０を超えていないと判定された場合、その出力で太陽電池１３０により発電された電力は、電力制御装置１内部にて電力ロスとして消費されてしまい、外部に供給することはできない。したがって、ステップＳ１１において太陽電池１３０の発電可能電力（あるいは出力）が上述の閾値Ｐ０を超えていないと判定されたら、制御部１０は、太陽電池１３０に接続したＤＣ／ＤＣコンバータ３０の動作を停止（例えばゲートブロック）する（ステップＳ１３）。ステップＳ１３に移行する際は、太陽電池１３０の発電可能電力（あるいは出力）をＰとすると、０≦Ｐ≦Ｐ０となる。
【００４８】
次に、制御部１０は、蓄電池１４０の放電を要求されている場合、要求された蓄電池１４０の放電電力（出力）が、上述の閾値Ｗｄを超えているか否かを判定する（ステップＳ１４）。このような蓄電池１４０の放電の要求は、各種の態様が想定される。例えば、制御部１０に蓄電池１４０の充放電スケジュールを記憶しておき、所定の時刻に達したら、制御部１０自らが、蓄電池１４０の放電の要求（充放電スケジュール）に従って制御を行うことができる。このような充放電スケジュールは、制御部１０が内蔵するメモリに記憶してもよいし、電力制御装置１の内外の他の記憶手段に記憶してもよい。また、例えばエネルギー管理装置４００から蓄電池１４０の充放電の要求を受信することにより、制御部１０が、受信した充放電の要求に基づいて、制御を行ってもよい。また、このような蓄電池１４０の充放電の要求は、例えば外部のネットワークなどから受信してもよい。後述する蓄電池１４０の充電の要求においても、同様に各種の態様を想定することができる。
【００４９】
ステップＳ１４において要求された蓄電池１４０の放電の電力（出力）が上述の閾値Ｗｄを超えていると判定されたら、制御部１０は、蓄電池１４０に接続したＤＣ／ＤＣコンバータ４０の動作をオンにする（ステップＳ１５）。この場合、ステップＳ１５に移行する際は、要求された蓄電池１４０の放電する電力（出力）をＷとすると、Ｗ＞Ｗｄとなる。
【００５０】
一方、ステップＳ１４において要求された蓄電池１４０の出力が上述の閾値Ｗｄを超えていないと判定された場合、その出力で蓄電池１４０から放電された電力は、電力制御装置１内部にて電力ロスとして消費されてしまい、外部に供給することはできない。したがって、ステップＳ１４において要求された蓄電池１４０の出力が上述の閾値Ｗｄを超えていないと判定されたら、制御部１０は、蓄電池１４０に接続したＤＣ／ＤＣコンバータ４０の動作を停止（例えばゲートブロック）する（ステップＳ１６）。この場合、ステップＳ１６に移行する際は、要求された蓄電池１４０の放電する電力（出力）をＷとすると、０≦Ｗ≦Ｗｄとなる。
【００５１】
また、ステップＳ１４において、蓄電池１４０の充電を要求されている場合、蓄電池１４０に対する充電量にかかわらず、ある程度の固定した内部損失は発生する。したがって、蓄電池１４０の充電を要求された場合、制御部１０は、蓄電池１４０に接続したＤＣ／ＤＣコンバータ４０の動作を、要求に応じてオンにする（ステップＳ１５）。この場合、ステップＳ１５に移行する際は、要求された蓄電池１４０に充電する電力をＷとすると、Ｗ＜０となる（出力（正）ではなく入力（負）になる）。
【００５２】
一方、ステップＳ１４において、蓄電池１４０の充電を要求されている場合であって、要求された充電制御が０Ｗである場合、蓄電池１４０は充放電を行う必要がない。しかしながら、この場合、蓄電池１４０の充放電電力が０Ｗであっても、ＤＣ／ＤＣコンバータ４０および、インバータ２０がコンバータとしての動作を行うため、電力が消費される。したがって、要求された充電制御が０Ｗである場合、制御部１０は、蓄電池１４０に接続したＤＣ／ＤＣコンバータ４０の動作を停止（例えばゲートブロック）する（ステップＳ１６）。この場合、ステップＳ１６に移行する際は、要求された蓄電池１４０に充電する電力をＷとすると、Ｗ＝０である。
【００５３】
次に、制御部１０は、太陽電池１３０に接続したＤＣ／ＤＣコンバータ３０または蓄電池１４０に接続したＤＣ／ＤＣコンバータ４０のいずれかが動作しているか否か判定する（ステップＳ１７）。ステップＳ１７においてＤＣ／ＤＣコンバータ３０またはＤＣ／ＤＣコンバータ４０のいずれかが動作している場合、制御部１０は、インバータ２０が動作するように制御し、連系リレー５０をオンにするように制御する（ステップＳ１８）。
【００５４】
一方、ステップＳ１７において、太陽電池１３０に接続したＤＣ／ＤＣコンバータ３０および蓄電池１４０ＤＣ／ＤＣコンバータ４０のいずれも動作しない（例えばゲートブロックしている）ときは、電力制御装置１は連系運転を行う必要はない。したがって、この場合、制御部１０は、インバータ２０の動作を停止し、連系リレー５０をオフにするように制御する（ステップＳ１９）。
【００５５】
このように、制御部１０は、複数の直流電力供給部１３０，１４０のうち１つから供給される電力が、当該１つの直流電力供給部に接続されたＤＣ／ＤＣコンバータ３０，４０およびインバータ２０の消費電力を超えない時は、当該ＤＣ／ＤＣコンバータの動作を停止する。ここで、制御部１０は、複数の直流電力供給部１３０，１４０に接続された複数のＤＣ／ＤＣコンバータ３０，４０の動作が全て停止している時、インバータ２０の動作を停止するように制御する。また、制御部１０は、要求された充電制御が０Ｗである場合は、ＤＣ／ＤＣコンバータ４０の動作を停止するように制御する。また、制御部１０は、インバータ２０の動作時には連系リレー５０を接続し、インバータ２０の動作停止時には連系リレー５０を開放するように制御する。
【００５６】
上述したように、図２においてステップＳ１４からステップＳ１６に移行する場合、要求された蓄電池１４０の放電電力の出力がＷｄを超えていないか、または要求された蓄電池１４０の充電制御が０Ｗである。これらのような場合、制御部１０は、充放電の要求を受けているにもかかわらず、蓄電池１４０に接続したＤＣ／ＤＣコンバータ４０の動作を停止（ゲートブロック）している。したがって、例えばエネルギー管理装置４００から充放電の要求を受けているような場合、制御部１０は、要求された通りの動作を行わない旨を、要求を送信した対象に通知するのが好適である。すなわち、制御部１０は、エネルギー管理装置４００から電力制御装置１の動作を開始するように指示された際に、ＤＣ／ＤＣコンバータの動作を停止する時は、電力制御装置１の動作を開始しない旨をエネルギー管理装置４００に通知するように制御するのが好適である。これは、充放電の要求を送信したのがエネルギー管理装置４００以外の他の要素であっても、同じように処理することが望ましい。
【００５７】
以上説明したように、本実施形態に係る電力制御装置１は、複数の直流発電部（例えば太陽電池１３０および蓄電池１４０）を備え、直流電力を交流電力に変換して系統に連系する。本実施形態においては、例えば太陽電池１３０および蓄電池１４０のような直流発電素子の出力電力がある閾値以下である場合、対応するＤＣ／ＤＣコンバータの動作を停止する。また、本実施形態においては、例えば太陽電池１３０および蓄電池１４０のような直流発電素子の出力電力が、どちらもある閾値以下である場合、連系リレー５０を解列し、インバータ２０の動作を停止させる。
【００５８】
一方、本実施形態においては、例えば太陽電池１３０のような発電装置の発電可能電力がある閾値以上、または蓄電池１４０の充放電電力の要求がある閾値範囲外の場合、対応するＤＣ／ＤＣコンバータの動作を開始する。この場合、本実施形態においては、連系リレー５０を接続し、インバータ２０の動作を開始する。
【００５９】
このように、本実施形態では、制御動作の必要に応じて、太陽電池１３０のＤＣ／ＤＣコンバータ３０、蓄電池１４０のＤＣ／ＤＣコンバータ４０、およびインバータ２０を停止させたり、連系リレー５０を解列したりする。したがって、本実施形態においては、機器内における内部損失を極力低減することができるため、全体としてエネルギー損失の少ない高効率の電力制御を実現することができる。
【００６０】
本発明を諸図面および実施例に基づき説明してきたが、当業者であれば本開示に基づき種々の変形および修正を行うことが容易であることに注意されたい。したがって、これらの変形および修正は本発明の範囲に含まれることに留意されたい。例えば、各機能部、各手段、各ステップなどに含まれる機能などは論理的に矛盾しないように再配置可能であり、複数の機能部およびステップなどを１つに組み合わせたり、或いは分割したりすることが可能である。また、上述した本発明の各実施形態は、それぞれ説明した各実施形態に忠実に実施することに限定されるものではなく、適宜、各特徴を組み合わせたり、一部を省略したりして実施することもできる。
【００６１】
また、本発明は、上述した実施形態に限定されるものではなく、例えば、上述した実施形態に係る電力制御装置１のような電力制御装置による電力制御方法として実現することもできる。
【００６２】
また、上述した実施形態では、電力制御装置１の動作を行う前提として、制御部１０が制御を行う基準として用いる閾値（Ｐ０，Ｗｄ）を測定することにより設定する態様を説明した。しかしながら、本発明はこのような態様に限定されない。これらの閾値は、電力制御装置１において実測するのではなく、例えばエネルギー管理装置４００または外部ネットワークなどから供給されるような態様を想定することもできる。また、このようにして供給された閾値は、例えば電力制御装置１における各種の動作または制御に基づいて補正されるようにしてもよい。
【符号の説明】
【００６３】
１  電力制御装置
１０  制御部
２０  インバータ
３０，４０  ＤＣ／ＤＣコンバータ
５０  連系リレー
１３０  太陽電池
１４０  蓄電池
２００  負荷
３００  系統
４００  エネルギー管理装置
【図１】
2015208089.tif 000003
【図２】
2015208089.tif 000004